Podtech/llm-jp-corpus-v4-ja_patent huggingface dataset:
【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】
ゲーム実行手段と画像処理手段と記憶手段とワークメモリと操作部とを備えたゲーム装置であって、
前記記憶手段にはゲームプログラムと背景データを含むゲーム装置においてゲームの実行に必要なプログラムとデータが格納されており、
前記ゲームプログラムの実行により任意の方向に移動進路の選択が可能なフィールドが仮想三次元空間に設定されるように構成されており、
前記画像処理手段は、遊技者の操作に応答して操作部から入力される操作データに基づき、前記移動体の進行に従って視野角内に展開される背景を表示手段に表示するように構成されており、
前記背景データは、前記フィールドを複数のエリアに縦横に区分けして格納されており、
前記ゲーム装置は、遊技者の操作に応答して前記ゲームプログラムの実行により、
（ａ）前記移動体の進行方向前方に、前記視野角内において視点から所定距離に仮想的に設定されたラインであって当該ラインを超えた範囲の背景の表示が省略される表示限界ラインと、前記視野角内において前記視点から見て前記表示限界ラインよりもさらに遠方にある位置に設定された参照ラインと、を設定し、
（ｂ）前記移動体の現在位置を特定し、
（ｃ）前記移動体の現在位置に対する視点から見て前記視野角内であって前記参照ラインが含まれる一つ乃至複数の前記エリアを検出し、
（ｄ）前記（ｃ）で検出された、前記表示限界ラインより遠方位置にある前記エリアに対応する前記背景データを前記記憶手段から先読みし前記ワークメモリに読み込むよう構成され、
遊技者の操作に応答して前記移動体が前記フィールド内を任意の方向に移動する動きに応じ前記各（ａ）乃至（ｄ）の処理が実行されるように構成されてなることを特徴とするゲーム装置。
【請求項２】
請求項１記載のゲーム装置において、
前記複数のエリアは前記記憶手段に背景データの内容を背景の種類毎に分割して夫々記憶されており、
前記ワーク用メモリは、同じ記憶容量の複数のメモリブロックに分割設定されており、前記記憶手段から読み出された前記各エリアの背景データをそのデータ量に応じてｎ個以上（ｎは正の整数値）の前記メモリブロックに記憶させることを特徴とするゲーム装置。
【請求項３】
請求項２記載のゲーム装置において、
前記（ｄ）では、
前記ワーク用メモリメモリブロックが空き領域か否かを判断し、
この判断により空き領域であると認識されたときに前記エリア毎の背景データをｎ個以上の前記メモリブロックに順次記憶させるように構成され、
前記ゲーム装置は、前記（ａ）乃至（ｄ）を実行することを特徴とするゲーム装置。
【請求項４】
請求項３記載のゲーム装置において、
前記ゲーム装置はさらにカウント手段を備え、
前記（ｄ）では、
背景データ記憶済みのメモリブロックに対応する前記エリア内に前記移動体が存在するか、あるいは当該エリアが視界の範囲内に存在するか否かを検出してこれを定期的にカウントしカウント値を記憶し、前記メモリブロックに空き領域が無いと判断されたときに、前記メモリブロックそれぞれに対する前記カウンタ値に基づき前記背景データを記憶させる記憶先のメモリブロックを決定するように構成され、
前記ゲーム装置は、前記（ａ）乃至（ｄ）を実行することを特徴とするゲーム装置。
【請求項５】
請求項３記載のゲーム装置において、
前記（ｄ）では、
記憶させる背景データが複数個のメモリブロックを必要とするときには、前記複数個の連続したメモリブロックを決定するように構成されることを特徴とするゲーム装置。
【請求項６】
請求項４記載のゲーム装置において、
複数個の連続するメモリブロックに対する前記カウント値を比較して最も高い値あるいは低い値を呈する連続した複数個のメモリブロックを決めることを特徴とするゲーム装置。
【請求項７】
請求項４記載のゲーム装置において、
前記複数個の連続するメモリブロックに対する前記カウント値の平均値を演算してこの演算値が最も高い値あるいは低い値を呈する連続した複数個のメモリブロックを決めることを特徴とするゲーム装置。
【請求項８】
請求項１乃至７の何れか一項記載のゲーム装置において、
前記移動体は前記仮想三次元空間を移動する車両であるゲーム装置。
【請求項９】
ゲーム実行手段と画像処理手段と記憶手段とワークメモリと操作部とを備えたコンピュータ装置において実行されるデータ処理方法であって、
前記記憶手段にはゲームプログラムと背景データを含むゲームの実行に必要なプログラムとデータが格納されており、
前記ゲームプログラムとデータは前記ゲームプログラムの実行により任意の方向に移動進路の選択が可能なフィールドが仮想三次元空間に設定されるように構成されており、
前記背景データは、前記フィールドを複数のエリアに縦横に区分けして格納されており、
前記画像処理手段は、遊技者の操作に応答して操作部から入力される操作データに基づき、前記移動体の進行に従って視野角内に展開される背景を表示手段に表示するように構成されており、
前記コンピュータ装置上において遊技者の操作に応じて前記ゲームプログラムの実行により、
（ａ）前記移動体の進行方向前方に、前記視野角内において視点から所定距離に仮想的に設定されたラインであって当該ラインを超えた範囲の背景の表示が省略される表示限界ラインと、前記視野角内において前記視点から見て前記表示限界ラインよりもさらに遠方にある位置に設定された参照ラインと、を設定する段階と、
（ｂ）前記移動体の現在位置を特定する段階と、
（ｃ）前記移動体の現在位置に対する視点から見て前記視野角内であって前記参照ラインが含まれる一つ乃至複数の前記エリアを検出する段階と、
（ｄ）前記段階（ｃ）で検出された、前記表示限界ラインより遠方位置にある前記エリアに対応する前記背景データを前記記憶手段から先読みし前記ワークメモリに読み込む段階と、を含み、
遊技者の操作に応答して前記移動体が前記フィールド内を任意の方向に移動する動きに応じ逐次実行することを特徴とするデータ処理方法。
【請求項１０】
請求項１乃至７の何れか一項記載の前記背景データと前記ゲームプログラムがコンピュータ装置上で実行可能に記録された情報記録媒体。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
可動部とその可動部が搭載された基板とを有する微小電気機械装置をモールド手段で封止する微小電気機械装置用パッケージにおいて、  前記微小電気機械装置を接続搭載する搭載手段と、  前記微小電気機械装置と前記搭載手段との間に設置され、前記微小電気機械装置の前記基板が前記搭載手段とが接触しない程度の大きさで前記モールド手段の剛性よりも高い剛性を有し且つ前記微小電気機械装置の基板と同等もしくは小さい熱伝導率係数を有する材料からなる第１の保護手段と、  前記第１の保護手段に設置され、前記微小電気機械装置を覆い、前記モールド手段の剛性よりも高い剛性を有し且つ前記微小電気機械装置の基板と同等もしくは小さい熱伝導率係数を有する材料からなる第２の保護手段と、  前記微小電気機械装置と前記搭載手段とを電気的に接続する電気接続手段とを具備したことを特徴とする微小電気機械装置用パッケージ。
【請求項２】
前記搭載手段に接続搭載され、前記微小電気機械装置を制御する半導体素子をさらに具備することを特徴とする請求項１に記載の微小電気機械装置用パッケージ。
【請求項３】
前記第１の保護手段および前記第２の保護手段は珪素またはアルミニウムムを含む材料からなることを特徴とする請求項１乃至２に記載の微小電気機械装置用パッケージ。
【請求項４】
前記第１の保護手段の内層に電気配線を配置したことを特徴とする請求項１乃至３に記載の微小電気機械装置用パッケージ。
【請求項５】
前記搭載手段は表層もしくは内層に電気配線が配置されていることを特徴とする請求項１乃至４に記載の微小電気機械装置用パッケージ。
【請求項６】
可動部とその可動部が搭載された基板とを有し、フリップチップ化された微小電気機械装置をモールド手段で封止する微小電気機械パッケージにおいて、  前記微小電気機械装置を接続搭載する搭載手段と、  前記微小電気機械装置と前記搭載手段との間に設置され、前記微小電気機械装置の前記基板が前記搭載手段とが接触しない程度の大きさで前記モールド手段の剛性よりも高い剛性を有し且つ前記微小電気機械装置の基板と同等もしくは小さい熱伝導率係数を有する材料からなる第１の保護手段と、  前記第１の保護手段に設置され、前記微小電気機械装置を覆い、前記モールド手段の剛性よりも高い剛性を有し且つ前記微小電気機械装置の基板と同等もしくは小さい熱伝導率係数を有する材料からなる第２の保護手段と、  前記微小電気機械装置と前記搭載手段とを電気的に接続する第１の電気接続手段とを具備したことを特徴とする微小電気機械装置用パッケージ。
【請求項７】
前記搭載手段に接続搭載され、前記微小電気機械装置を制御する半導体素子をさらに具備することを特徴とする請求項６に記載の微小電気機械パッケージ。
【請求項８】
前記半導体素子は前記第２の保護手段上に接続搭載され、前期半導体素子と前記第２の保護手段とを電気的に接続する第２の電気接続手段とをさらに具備したことを特徴とする請求項７に記載の微小電気機械装置用パッケージ。
【請求項９】
可動部とその可動部が搭載された基板とを有する微小電気機械装置と、  前記微小電気機械装置を接続搭載する搭載手段と、  前記微小電気機械装置と前記搭載手段との間に設置され、前記微小電気機械装置の前記基板が前記搭載手段とが接触しない程度の大きさで、前記可動部への熱的、機械的な外部応力の伝達を抑制する剛性を有し且つ熱伝導率係数を有する材料からなる第１の保護手段と、  前記第１の保護手段上に設けられ、前記微小電気機械装置を覆い、第１の保護手段と同等の材料からなる第２の保護手段と、  前記微小電気機械装置と前記搭載手段とを電気的に接続する電気接続手段とを具備したことを特徴とする微小電気機械装置用パッケージ。
【請求項１０】
前記搭載手段に接続搭載され、前記微小電気機械装置を制御する半導体素子をさらに具備することを特徴とする請求項９に記載の微小電気機械装置用パッケージ。
【請求項１１】
前記搭載手段は表層もしくは内層に電気配線が配置されていることを特徴とする請求項９乃至１０に記載の微小電気機械装置用パッケージ。
【手続補正２】
【補正対象書類名】明細書
【補正対象項目名】００１７
【補正方法】削除
【補正の内容】
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
それぞれ微細構造面を有する微細構造部が基材の表面に任意のパターンで形成された微細構造体を製造する方法であって、
基材の表面に、光透過性を有する反応硬化性樹脂からなるコーティング溶液を予め定められたパターン及び予め定められた膜厚で塗布して前記反応硬化性樹脂の樹脂コーティングを形成し、
前記樹脂コーティングが未硬化の状態にあるとき、前記微細構造部の微細構造面に対応する反転微細構造面を備えた剥離性転写型を、前記反転微細構造面と前記樹脂コーティングとが密着するように前記基材に重ね合わせ、
前記樹脂コーティングの硬化後に前記転写型を前記基材から剥離すること
を含んでなることを特徴とする微細構造体を製造する方法。
【請求項２】
前記微細構造面がレンズ構造を有していることを特徴とする請求項１に記載の方法。
【請求項３】
前記微細構造面が、微細プリズムパターンの集合体からなることを特徴とする請求項１又は２に記載の方法。
【請求項４】
前記微細プリズムパターンが、直線状の３角形プリズム、もしくは直線状の３角形プリズムのプリズム頂角か隣合う３角形間の角のいずれかもしくは両者が丸められている疑似３角形プリズム、もしくはそれら３角形プリズムか疑似３角形プリズムから一部分を取り除いたものに相当する形状からなるプリズム、かまぼこ形プリズム、ピラミッド状の３角錐形もしくは４角錐形プリズム又はその組み合わせのパターンからなることを特徴とする請求項３に記載の方法。
【請求項５】
前記微細プリズムパターンにおいて、前記プリズムのピッチｐが１ｍｍ以下であり、かつ頂角αが１５０°以下であることを特徴とする請求項４に記載の方法。
【請求項６】
前記微細プリズムパターンが、ストライプ、格子、矢羽根、四角、平行四辺形、円又はそれらの組み合わせのパターンで前記基材の表面に付与されていることを特徴とする請求項３〜５のいずれか１項に記載の方法。
【請求項７】
前記転写型を前記基材に重ね合わせた後に前記樹脂コーティングをエージングにより硬化させることを特徴とする請求項１〜６のいずれか１項に記載の方法。
【請求項８】
前記基材が、透明、半透明もしくは不透明な材料からなることを特徴とする請求項１〜７のいずれか１項に記載の方法。
【請求項９】
前記コーティング溶液の反応硬化性樹脂が、熱硬化性又は光硬化性であることを特徴とする請求項１〜８のいずれか１項に記載の方法。
【請求項１０】
前記樹脂コーティングを５〜３００μｍの膜厚（乾燥膜厚）で形成することを特徴とする請求項１〜９のいずれか１項に記載の方法。
【請求項１１】
前記転写型が、その表面の全体に反転微細構造面を備えたフレキシブルなプラスチックフィルムからなることを特徴とする請求項１〜１０のいずれか１項に記載の方法。
【請求項１２】
前記プラスチックフィルムが、ポリエチレンフィルム、ポリプロピレンフィルム、ポリエチレンテレフタレートフィルム、ポリブチレンテレフタレートフィルム又はポリメチルペンテンフィルムであることを特徴とする請求項１１に記載の方法。
【請求項１３】
前記反応硬化性樹脂がウレタン樹脂であることを特徴とする請求項１〜１２のいずれか１項に記載の方法。
【請求項１４】
前記反応硬化性樹脂のコーティング溶液が、２液硬化型ウレタンクリア塗料であることを特徴とする請求項１〜１３のいずれか１項に記載の方法。
【請求項１５】
前記反応硬化性樹脂のコーティング溶液をスクリーン印刷によって塗布することを特徴とする請求項１〜１４のいずれか１項に記載の方法。
【請求項１６】
請求項１〜１５のいずれか１項に記載の方法によって製造された、それぞれ微細構造面を有する微細構造部が基材の表面に任意のパターンで形成されてなる微細構造体。
【請求項１７】
自動車ランプ用インナーシートであることを特徴とする請求項１６に記載の微細構造体。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
（ａ）液体を吐出するためのノズルと、
（ｂ）前記ノズルから液体が吐出されたか否かを検知するための液体吐出検知部と、
（ｃ）前記ノズルをクリーニングするためのクリーニング機構と、
（ｄ）前記液体吐出検知部にて液体が吐出されていない前記ノズルが検知された際に、前記クリーニング機構により前記ノズルをクリーニングするか否かを、予め設定されたクリーニング条件に基づいて判断し、前記液体が吐出されていないノズルが検知されたとしても、前記クリーニング条件を満たしていなければクリーニングを行わないものとするためのコントローラと、
（ｅ）を有することを特徴とする液体吐出装置。
【請求項２】
請求項１に記載の液体吐出装置において、
前記クリーニング条件を入力するためのクリーニング条件入力部を有し、
ユーザーが前記クリーニング条件入力部から前記クリーニング条件を入力することにより、前記情報が設定されることを特徴とする液体吐出装置。
【請求項３】
請求項１又は請求項２のいずれかに記載の液体吐出装置において、
クリーニングを行うか否かは、前記液体吐出検知部の検知した液体が吐出されていないノズルの数と、前記クリーニング条件として予め設定された所定のしきい値と、に基づいて判定されることを特徴とする液体吐出装置。
【請求項４】
請求項１乃至請求項３のいずれかに記載の液体吐出装置において、
前記クリーニング条件は、液体吐出装置の吐出のためのモードによって異なることを特徴とする液体吐出装置。
【請求項５】
請求項１乃至請求項４のいずれかに記載の液体吐出装置において、
前記ノズルをクリーニングした直後に、前記ノズルから液体が吐出されたか否かを検知し、液体が吐出されていない前記ノズルが検知された際には、前記設定されたクリーニング条件にかかわらず前記ノズルをクリーニングすることを特徴とする液体吐出装置。
【手続補正書】
【提出日】平成20年6月26日(2008.6.26)
【手続補正１】
【補正対象書類名】特許請求の範囲
【補正対象項目名】請求項９
【補正方法】変更
【補正の内容】
【請求項９】
前記切断手段は、
前記帯状の媒体を幅方向の一部について切断することを特徴とする請求項４乃至７のいずれか１項に記載の記録装置。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
第１コネクタ部材が設けられた第１基板を第１基板ボックスに収容してなる第１基板装置と、
第２コネクタ部材が設けられた第２基板を第２基板ボックスに収容してなる第２基板装置と
を備え、
前記第１コネクタ部材は複数の第１接続ピンを、前記第２コネクタ部材は複数の第２接続ピンを、各々列状に配列してなる多ピン構造であって、
前記第１コネクタ部材と前記第２コネクタ部材とを、複数本の導線の両端にコネクタ部材を有するハーネスで接続することにより、前記第１基板と前記第２基板とが電気的に接続される遊技機において、
前記第１基板装置に前記第２基板装置と重なり合わない非重なり領域を形成するよう、前記第１基板装置に前記第２基板装置を積層して設けると共に、前記非重なり領域に前記第１コネクタ部材を配置し、
さらに、前記第２コネクタ部材を、前記第２接続ピンの配列方向が前記第１接続ピンの配列方向に対して略平行となり、且つ前記第１コネクタ部材に対して前記第１接続ピンの配列方向にずらして設けたことを特徴とする遊技機。
【請求項２】
第１コネクタ部材が設けられた第１基板を第１基板ボックスに収容してなる第１基板装置と、
第２コネクタ部材が設けられた第２基板を第２基板ボックスに収容してなる第２基板装置と
を備え、
前記第１コネクタ部材は横長状をなし、少なくともその長手方向に複数の第１接続ピンを列状に配列した多ピン構造であると共に、前記第２コネクタ部材は横長状をなし、少なくともその長手方向に複数の第２接続ピンを列状に配列した多ピン構造であり、
前記第１コネクタ部材と前記第２コネクタ部材とを、複数本の導線の両端にコネクタ部材を有するハーネスで接続することにより、前記第１基板と前記第２基板とが電気的に接続される遊技機において、
前記第１基板装置に前記第２基板装置と重なり合わない非重なり領域を形成するよう、前記第１基板装置に前記第２基板装置を積層して設けると共に、前記非重なり領域に前記第１コネクタ部材を配置し、
さらに、前記第２コネクタ部材を、その長辺部が前記第１コネクタ部材の長辺部に対して略平行となり、且つ前記第１コネクタ部材に対してその長手方向にずらして設けたことを特徴とする遊技機。
【請求項３】
前記第１コネクタ部材と前記第２コネクタ部材とを、積層方向から見た場合に、ほぼ直線上に配置したことを特徴とする請求項１又は請求項２に記載の遊技機。
【請求項４】
第１コネクタ部材が固定された第１基板を第１基板ボックスに収容してなる第１基板装置と、
第２コネクタ部材が固定された第２基板を第２基板ボックスに収容してなる第２基板装置と
を備え、
前記第１コネクタ部材は複数の第１接続ピンを、前記第２コネクタ部材は複数の第２接続ピンを、各々配列してなる多ピン構造であって、
前記第１コネクタ部材と前記第２コネクタ部材とを、複数本の導線の両端にコネクタ部材を有するハーネスで接続することにより、前記第１基板装置と前記第２基板装置とが電気的に接続される遊技機において、
前記第１基板装置に前記第２基板装置と重なり合わない非重なり領域を形成するよう、該第１基板装置に該第２基板装置を積層して設けると共に、前記非重なり領域に前記第１コネクタ部材を配置し、
さらに、前記第２コネクタ部材を、前記第２接続ピンの配列方向が前記第１接続ピンの配列方向に対してねじれの位置となるように配置したことを特徴とする遊技機。
【請求項５】
前記第２コネクタ部材を、積層方向から見た場合に前記第２接続ピンの配列方向が前記第１接続ピンの配列方向に対してほぼ直交するように配置したことを特徴とする請求項４に記載の遊技機。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
下糸が巻かれたボビンを収納した内釜と、
該内釜に揺動可能に設けた内釜レバーと、
該内釜レバーに当接して揺動させるため前記内釜の外側に揺動可能に配備された空転防止レバーと、
該空転防止レバーを揺動させる駆動手段とを備え、
糸切断動作の後に前記駆動手段により揺動する前記空転防止レバーにより前記内釜レバーを揺動させて、
前記内釜に収納したボビンに巻かれた下糸の表面に前記内釜レバーの先端部を当接させて押圧状態とすることによって、前記ボビンの慣性回転を停止させる
ことを特徴とするミシンの下糸ボビンの停止装置。
【請求項２】
下糸が巻かれたボビンを収納した内釜と、
該内釜に揺動可能に設け前記ボビンに巻き付けられた下糸の表面に当接する先端部を有する内釜レバーと、
前記内釜の外側に揺動自在に配備され前記内釜レバーに当接して揺動させるための押圧端部を有する空転防止レバーと、
該空転防止レバーを揺動させる駆動手段が設けられ、
該駆動手段が糸切断動作の後に前記空転防止レバーの押圧端部を揺動させて前記内釜レバーに当接して押圧することにより前記内釜レバーが揺動して前記ボビンに巻かれた下糸の表面に前記内釜レバーの先端部を当接させて押圧状態とすることで前記ボビンの慣性回転を停止させる
ことを特徴とするミシンの下糸ボビンの停止装置。
【請求項３】
前記空転防止レバーは、略Ｌ字又は略Ｃ字形状に屈曲形成されてなる
ことを特徴とする請求項１又は２に記載のミシンの下糸ボビンの停止装置。
【請求項４】
前記駆動手段は、
ベッドに設けた軸を介して揺動自在に支持され、一端を前記ソレノイドに連結し、他端にはピンを設けた変換腕と、
該変換腕に設けたピンと一端に設けた長穴とが枢支連結した空転防止ロッドと、
該空転防止ロッドの他端と一端を枢支連結し、他端をベッドに設けた軸を介して支持され、且つ前記空転防止レバーに連結された空転防止腕と、
前記空転防止ロッドと変換腕のピンに掛けられたばねとからなり、
該ばねを介して前記空転防止ロッドと変換腕とは常時相互に引き合うように弾性付勢されて前記内釜レバーのボビンに対する制動力を一定にする
ことを特徴とする請求項１，２又は３に記載のミシンの下糸ボビンの停止装置。
【手続補正２】
【補正対象書類名】明細書
【補正対象項目名】０００４
【補正方法】変更
【補正の内容】
【０００４】
そこで、発明者は、上記課題を解決すべく、上記下糸が巻かれたボビンを収納した内釜と、該内釜に揺動可能に設けた内釜レバーと、該内釜レバーに当接して揺動させるため前記内釜の外側に揺動可能に配備された空転防止レバーと、該空転防止レバーを揺動させる駆動手段とを備え、糸切断動作の後に前記駆動手段により揺動する前記空転防止レバーにより前記内釜レバーを揺動させて、前記内釜に収納したボビンに巻かれた下糸の表面に前記内釜レバーの先端部を当接させて押圧状態とすることによって、前記ボビンの慣性回転を停止させることを特徴とするミシンの下糸ボビンの停止装置としたことにより、課題を解決した。
【手続補正３】
【補正対象書類名】明細書
【補正対象項目名】０００５
【補正方法】変更
【補正の内容】
【０００５】
また、下糸が巻かれたボビンを収納した内釜と、該内釜に揺動可能に設け前記ボビンに巻き付けられた下糸の表面に当接する先端部を有する内釜レバーと、前記内釜の外側に揺動自在に配備され前記内釜レバーに当接して揺動させるための押圧端部を有する空転防止レバーと、該空転防止レバーを揺動させる駆動手段が設けられ、該駆動手段が糸切断動作の後に前記空転防止レバーの押圧端部を揺動させて前記内釜レバーに当接して押圧することにより前記内釜レバーが揺動して前記ボビンに巻かれた下糸の表面に前記内釜レバーの先端部を当接させて押圧状態とすることで前記ボビンの慣性回転を停止させることを特徴とするミシンの下糸ボビンの停止装置としたことにより、課題を解決した。
【手続補正４】
【補正対象書類名】明細書
【補正対象項目名】０００６
【補正方法】変更
【補正の内容】
【０００６】
また、前記空転防止レバーは、略Ｌ字又は略Ｃ字形状に屈曲形成されてなることを特徴とするミシンの下糸ボビンの停止装置。としたことにより、課題を解決した。
また、前記駆動手段は、ベッドに設けた軸を介して揺動自在に支持され、一端を前記ソレノイドに連結し、他端にはピンを設けた変換腕と、該変換腕に設けたピンと一端に設けた長穴とが枢支連結した空転防止ロッドと、該空転防止ロッドの他端と一端を枢支連結し、他端をベッドに設けた軸を介して支持され、且つ前記空転防止レバーに連結された空転防止腕と、前記空転防止ロッドと変換腕のピンに掛けられたばねとからなり、該ばねを介して前記空転防止ロッドと変換腕とは常時相互に引き合うように弾性付勢されて前記内釜レバーのボビンに対する制動力を一定にすることを特徴とする請求項１，２又は３に記載のミシンの下糸ボビンの停止装置。としたことにより、課題を解決した。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
針板の針穴から上糸・下糸が斜めの経路をとる水平釜を具備したミシンの自動糸切装置において、
糸切り命令により往復動する捕捉部材が復動時に常時上糸を捕捉する捕捉手段と、
該捕捉手段と共に糸切り命令により往復動する可動メスと共に前記捕捉手段により捕捉され案内された糸を切断する固定メスとを有する切断手段と、
該切断手段による下糸の切断時には前記捕捉手段に下糸を捕捉させる押え手段とからなり、
下糸の切断時には、下糸を切断する糸切り命令により前記捕捉手段の復動と共に前記押え手段が下降して、下糸を前記捕捉部材で捕捉できるよう下方に押さえることにより復動する前記捕捉手段の捕捉部材が下糸を捕捉するようにした
ことを特徴とするミシンの自動糸切り装置。
【請求項２】
針板の針穴から上糸・下糸が斜めの経路をとる水平釜を具備したミシンの自動糸切装置において、
糸切り命令により往復動する可動メスと該可動メスと共に糸切断を行なう固定メスとからなる切断手段と、
糸切り命令により下糸の通過経路の下方位置を往復動し、 その復動時には常時上糸のみを捕捉して前記切断手段の糸切り位置まで前記上糸を案内する捕捉部材を有する捕捉手段と、
前記下糸を切断するときのみ前記捕捉手段の捕捉部材による下糸の捕捉が可能な位置へ下糸を案内するための押え部材を有する押え手段とからなり、
下糸の切断時には、下糸を切断する糸切り命令により前記捕捉手段の捕捉部材の復動と共に前記押え手段の押え部材が下降して、下糸を下方の前記捕捉部材で捕捉可能な位置へ押さえることにより復動する前記捕捉部材が下糸を捕捉するようにした
ことを特徴とするミシンの自動糸切り装置。
【請求項３】
前記押え手段は、水平釜内のボビンから針板の針穴に通じる下糸の経路の上方を横断するよう配置されると共に前記捕捉手段の捕捉部材の往復運動経路に沿って配置される軸状押え部と該軸状押え部の長手方向両端に形成された揺動腕部とからなり、
前記軸状押え部は、捕捉部材の復動時のみ下方に下がる
ことを特徴とする請求項１又は２に記載のミシンの自動糸切り装置。
【請求項４】
前記押え手段の駆動手段は、ステッピングモータによって行なわれてなる
ことを特徴とする請求項１、２又は３に記載のミシンの自動糸切り装置。
【請求項５】
前記押え手段の駆動手段は、カムによって行なわれてなる
ことを特徴とする請求項１、２又は３に記載のミシンの自動糸切り装置。
【手続補正２】
【補正対象書類名】明細書
【補正対象項目名】０００４
【補正方法】変更
【補正の内容】
【０００４】
そこで、発明者は、上記課題を解決すべく、針板の針穴から上糸・下糸が斜めの経路をとる水平釜を具備したミシンの自動糸切装置において、糸切り命令により往復動する捕捉部材が復動時に常時上糸を捕捉する捕捉手段と、該捕捉手段と共に糸切り命令により往復動する可動メスと共に前記捕捉手段により捕捉され案内された糸を切断する固定メスとを有する切断手段と、該切断手段による下糸の切断時には前記捕捉手段に下糸を捕捉させる押え手段とからなり、下糸の切断時には、下糸を切断する糸切り命令により前記捕捉手段の復動と共に前記押え手段が下降して、下糸を前記捕捉部材で捕捉できるよう下方に押さえることにより復動する前記捕捉手段の捕捉部材が下糸を捕捉するようにしたことを特徴とするミシンの自動糸切り装置としたことにより課題を解決した。
【手続補正３】
【補正対象書類名】明細書
【補正対象項目名】０００５
【補正方法】変更
【補正の内容】
【０００５】
また、針板の針穴から上糸・下糸が斜めの経路をとる水平釜を具備したミシンの自動糸切装置において、糸切り命令により往復動する可動メスと該可動メスと共に糸切断を行なう固定メスとからなる切断手段と、糸切り命令により下糸の通過経路の下方位置を往復動し、 その復動時には常時上糸のみを捕捉して前記切断手段の糸切り位置まで前記上糸を案内する捕捉部材を有する捕捉手段と、前記下糸を切断するときのみ前記捕捉手段の捕捉部材による下糸の捕捉が可能な位置へ下糸を案内するための押え部材を有する押え手段とからなり、下糸の切断時には、下糸を切断する糸切り命令により前記捕捉手段の捕捉部材の復動と共に前記押え手段の押え部材が下降して、下糸を下方の前記捕捉部材で捕捉可能な位置へ押さえることにより復動する前記捕捉部材が下糸を捕捉するようにしたことを特徴とするミシンの自動糸切り装置としたことにより課題を解決した。
【手続補正４】
【補正対象書類名】明細書
【補正対象項目名】０００６
【補正方法】変更
【補正の内容】
【０００６】
また、前記押え手段は、水平釜内のボビンから針板の針穴に通じる下糸の経路の上方を横断するよう配置されると共に前記捕捉手段の捕捉部材の往復運動経路に沿って配置される軸状押え部と該軸状押え部の長手方向両端に形成された揺動腕部とからなり、前記軸状押え部は、捕捉部材の復動時のみ下方に下がることを特徴とする請求項１又は２に記載のミシンの自動糸切り装置としたことにより課題を解決した。
【手続補正５】
【補正対象書類名】明細書
【補正対象項目名】０００７
【補正方法】変更
【補正の内容】
【０００７】
また、前記押え手段の駆動手段は、ステッピングモータによって行なわれてなることを特徴とするミシンの自動糸切り装置としたことにより課題を解決した。また、前記押え手段の駆動手段は、カムによって行なわれてなることを特徴とするミシンの自動糸切り装置としたことにより課題を解決した。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
上方に向かって矩形に開口した買物籠に装着する開口部カバーであって、断熱性布からなり柔軟性のあるカバー本体と、該カバー本体の一端部（固定端部）を前記買物籠の開口部の一端付近に固定維持するカバー本体装着手段と、前記開口部を前記カバー本体で覆うため、前記カバー本体の他端部（自由端部）を前記開口部の他端付近に係止する開口部覆設係止手段と、該開口部覆設係止手段の係止を外した状態で、前記カバー本体の買物籠当接面が内向きに湾屈する方向から、前記カバー本体の自由端部を固定端部付近に係止するカバー両端部係止手段とを備え、該カバー両端部係止手段の係止を行うに際して、前記カバー本体の自由端部を固定端部側の前記買物籠側方に引き出して前記カバー本体の買物籠当接面が上方を向いた状態から、前記カバー本体の自由端部を固定端部付近に係止することで、柔軟性のある前記カバー本体を中央部から折り返した状態で前記買物籠側方に垂下するように構成した開口部カバー。
【請求項２】
中央部から折り返した状態で買物籠の側方に垂下したカバー本体を、カバー本体と対面する買物籠の外側面に係止する第１の垂下カバー係止手段を備える請求項１記載の開口部カバー。
【請求項３】
請求項１又は２記載の開口部カバーを装着したカバー付き買物籠。
【手続補正書】
【提出日】平成20年7月2日(2008.7.2)
【手続補正１】
【補正対象書類名】特許請求の範囲
【補正対象項目名】全文
【補正方法】変更
【補正の内容】
【特許請求の範囲】
【請求項１】
発光素子を搭載した基板が配設されるユニット本体を有する先端部ユニットと、
前記先端部ユニットが交換可能であって、前記発光素子に電力を供給するための電気ケーブルの端部が接続された端子部材を挿入部先端部に有する内視鏡挿入部と、
前記ユニット本体に一体的に設けられ、前記発光素子を搭載した基板に対して電気的に一体に接合される一端部、及び前記先端部ユニットを前記挿入部先端部に取り付けた状態において、挿入部長手軸方向に働く付勢部材の付勢力によって前記端子部材に対して電気的接続状態になる他端部を有するピン部材と、を具備することを特徴とする内視鏡。
【請求項２】
前記ユニット本体が導電性部材である構成において、
前記ユニット本体は前記ピン部材が遊嵌状態で配置される挿入部長手軸方向の貫通孔を有し、この貫通孔内に該ピン部材を被覆する絶縁部材を設けたことを特徴とする請求項１に記載の内視鏡。
【請求項３】
前記ユニット本体が絶縁部材である構成において、
前記ユニット本体は、前記ピン部材が配置される挿入部長手軸方向の貫通孔を有することを特徴とする請求項１に記載の内視鏡。
【請求項４】
前記基板は柔軟性を有する、電気絶縁性の基材の一面側に導電パターンを形成した、フレキシブル基板であって、
前記フレキシブル基板の一面側に前記発光素子を搭載する構成において、
前記フレキシブル基板に、前記ピン部材の一端部が通配置される配置孔を設けたことを特徴とする請求項１乃至請求項３のいずれか１項に記載の内視鏡。
【請求項５】
前記基板は柔軟性を有する、電気絶縁性の基材の一面側に導電パターンを形成した、フレキシブル基板であって、
前記フレキシブル基板の一面側に前記発光素子を搭載する構成において、
前記フレキシブル基板に、前記導電パターンと電気的に接続されるスルーホールを設け、該スルーホールの他面側所定部位に前記ピン部材の一端部が電気的に接続される導電パターンを設けたことを特徴とする請求項１乃至請求項４のいずれか１項に記載の内視鏡。
【請求項６】
前記内視鏡は、前記挿入部先端部の外周面所定位置に回動保持部材を介して回動自在に配設される回動部材をさらに備え、
前記先端部ユニットは、切断可能な部位を有し、
前記先端部ユニットの他端部側の開口側端部が前記回動部材に一体的に固定されることを特徴とする請求項１記載の内視鏡。
【請求項７】
前記先端部ユニットの開口側端部に雌ねじ部を備え、前記回動部材に前記雌ねじ部に螺合する雄ねじ部を備えることを特徴とする請求項６に記載の内視鏡。
【請求項８】
前記先端部ユニット、及び前記回動部材を前記挿入部先端部に配設した状態において、
前記先端部ユニットの切断可能な部位は、前記回動部材上に位置することを特徴とする請求項６に記載の内視鏡。
【請求項９】
前記先端部ユニットに設けられるユニット本体側の光学系と、前記挿入部先端部に設けられる挿入部先端側の光学系とで対物光学系を構成することを特徴とする請求項６に記載の内視鏡。
【請求項１０】
前記対物光学系が前記挿入部先端部の先端面から突出する構成において、
前記先端部ユニットに、前記対物光学系が挿通配置される丸孔を設けたことを特徴とする請求項６に記載の内視鏡。
【手続補正２】
【補正対象書類名】明細書
【補正対象項目名】０００６
【補正方法】変更
【補正の内容】
【０００６】
本発明は上記事情に鑑みてなされたものであり、挿入部先端部に配置されたＬＥＤ照明の交換を容易に行える、構造が単純で安価な、内視鏡を提供することを目的にしている。
【手続補正３】
【補正対象書類名】明細書
【補正対象項目名】０００７
【補正方法】変更
【補正の内容】
【０００７】
本発明の内視鏡は、発光素子を搭載した基板が配設されるユニット本体を有する先端部ユニットと、前記先端部ユニットが交換可能であって、前記発光素子に電力を供給するための電気ケーブルの端部が接続された端子部材を挿入部先端部に有する内視鏡挿入部と、前記ユニット本体に一体的に設けられ、前記発光素子を搭載した基板に対して電気的に一体に接合される一端部、及び前記先端部ユニットを前記挿入部先端部に取り付けた状態において、挿入部長手軸方向に働く付勢部材の付勢力によって前記端子部材に対して電気的接続状態になる他端部を有するピン部材と、を具備している。
【手続補正４】
【補正対象書類名】明細書
【補正対象項目名】０００８
【補正方法】変更
【補正の内容】
【０００８】
この構成によれば、先端部ユニットを交換することによって、ＬＥＤ照明の交換を行える。
【手続補正５】
【補正対象書類名】明細書
【補正対象項目名】０００９
【補正方法】変更
【補正の内容】
【０００９】
本発明によれば、挿入部先端部に配置されたＬＥＤ照明の交換を容易に行える、構造が単純で安価な、内視鏡を実現できる。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
被写体像を撮像し、撮像した前記被写体像を撮像信号として出力する撮像部を具備した内視鏡から出力された前記撮像信号に対して信号処理を行った映像信号を動画像として記録する動画像記録装置を接続することが可能であり、前記撮像部の動作に必要な電圧及びクロック信号を前記撮像部に供給する動作状態と、前記撮像部の動作に必要な電圧及びクロック信号の供給を停止する待機状態とを切り替え可能な機能を有し、
前記動作状態から前記待機状態への切り替えを行うための第１の指示信号の出力を検知した場合に、前記動画像記録装置に対し、動画像の記録を一時停止するための動画像記録停止信号を出力することを特徴とする内視鏡用プロセッサ。
【請求項２】
被写体像を撮像し、撮像した前記被写体像を撮像信号として出力する撮像部を具備した内視鏡と、
前記内視鏡から出力された前記撮像信号に対して信号処理を行った映像信号を動画像として記録する動画像記録装置を接続することが可能であり、前記撮像部の動作に必要な電圧及びクロック信号を前記撮像部に供給する動作状態と、前記撮像部の動作に必要な電圧及びクロック信号の供給を停止する待機状態とを切り替え可能な機能を有するプロセッサとを有し、
前記プロセッサは、前記動作状態から前記待機状態への切り替えを行うための第１の指示信号の出力を検知した場合に、前記動画像記録装置に対し、動画像の記録を一時停止するための動画像記録停止信号を出力することを特徴とする内視鏡システム。
【請求項３】
さらに、前記プロセッサは、前記待機状態から前記動作状態への切り替えを行うための第２の指示信号の出力を検知した場合に、前記動画像記録装置に対し、一時停止していた動画像の記録を再開するための処理及び制御を行うことを特徴とする請求項１または請求項２に記載の内視鏡用プロセッサ又は内視鏡システム。
【請求項４】
さらに、前記プロセッサは、前記撮像信号に対して信号処理を行った映像信号を静止画像として記録する静止画像記録装置を接続可能であり、
前記動画像記録装置及び前記静止画像記録装置のうち、映像信号の出力が可能な装置を検知し、該検知結果を示すための処理を行うことを特徴とする請求項１から請求項３のいずれか一に記載の内視鏡用プロセッサ又は内視鏡システム。
【請求項５】
さらに、前記プロセッサは、前記待機状態である場合に、前記待機状態であることを示すための所定の文字列を表示させるための処理を行うことを特徴とする請求項１から請求項４のいずれか一に記載の内視鏡用プロセッサ又は内視鏡システム。
【請求項６】
前記第１の指示信号は、所定のスイッチが所定の期間以上押下されることにより出力される信号であることを特徴とする請求項１から請求項５のいずれか一に記載の内視鏡用プロセッサ又は内視鏡システム。
【請求項７】
前記第２の指示信号は、前記所定のスイッチの押下と略同時に出力される信号であることを特徴とする請求項２から請求項６のいずれか一に記載の内視鏡用プロセッサ又は内視鏡システム。
【請求項８】
前記内視鏡は、係止部を具備した内視鏡側コネクタ部を有し、前記プロセッサは、前記係止部に対して係合可能であって、前記係止部が接続解除方向に移動された場合に、前記内視鏡側コネクタ部との接続状態を解除することが可能な構成を有するプロセッサ側コネクタ部と、前記内視鏡側コネクタ部及び前記プロセッサ側コネクタ部の接続状態を検知するロック検知部とを有し、
前記ロック検知部は、前記接続解除方向に移動された前記係止部が接触したことを検知することにより、前記プロセッサ側コネクタ部と前記内視鏡側コネクタ部との接続状態が解除されたことを検知し、前記第１の指示信号として、接続状態検知信号を出力することを特徴とする請求項１から請求項５のいずれか一に記載の内視鏡システム。
【手続補正２】
【補正対象書類名】明細書
【補正対象項目名】発明の名称
【補正方法】変更
【補正の内容】
【発明の名称】内視鏡用プロセッサ及び内視鏡システム
【手続補正３】
【補正対象書類名】明細書
【補正対象項目名】０００１
【補正方法】変更
【補正の内容】
【０００１】
本発明は、動作状態と待機状態とを切り替え可能な機能を有する内視鏡用プロセッサ及び内視鏡システムに関するものである。
【手続補正４】
【補正対象書類名】明細書
【補正対象項目名】０００８
【補正方法】変更
【補正の内容】
【０００８】
本発明は、前述した点に鑑みてなされたものであり、従来に比べ、被検体に対する観察を行う場合の操作性を向上させることのできる内視鏡用プロセッサ及び内視鏡システムを提供することを目的としている。
【手続補正５】
【補正対象書類名】明細書
【補正対象項目名】０００９
【補正方法】変更
【補正の内容】
【０００９】
本発明における内視鏡用プロセッサは、被写体像を撮像し、撮像した前記被写体像を撮像信号として出力する撮像部を具備した内視鏡から出力された前記撮像信号に対して信号処理を行った映像信号を動画像として記録する動画像記録装置を接続することが可能であり、前記撮像部の動作に必要な電圧及びクロック信号を前記撮像部に供給する動作状態と、前記撮像部の動作に必要な電圧及びクロック信号の供給を停止する待機状態とを切り替え可能な機能を有し、前記動作状態から前記待機状態への切り替えを行うための第１の指示信号の出力を検知した場合に、前記動画像記録装置に対し、動画像の記録を一時停止するための動画像記録停止信号を出力することを特徴とする。
【手続補正６】
【補正対象書類名】明細書
【補正対象項目名】００１０
【補正方法】変更
【補正の内容】
【００１０】
本発明における内視鏡システムは、被写体像を撮像し、撮像した前記被写体像を撮像信号として出力する撮像部を具備した内視鏡と、前記内視鏡から出力された前記撮像信号に対して信号処理を行った映像信号を動画像として記録する動画像記録装置を接続することが可能であり、前記撮像部の動作に必要な電圧及びクロック信号を前記撮像部に供給する動作状態と、前記撮像部の動作に必要な電圧及びクロック信号の供給を停止する待機状態とを切り替え可能な機能を有するプロセッサとを有し、前記プロセッサは、前記動作状態から前記待機状態への切り替えを行うための第１の指示信号の出力を検知した場合に、前記動画像記録装置に対し、動画像の記録を一時停止するための動画像記録停止信号を出力することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
複数の遊技媒体を貯留する貯留手段と、
その貯留手段に連通され前記遊技媒体が流入する複数の通路と、
その複数の通路を前記複数の遊技媒体が通過するように、前記通路毎に遊技媒体の通過数を振り分ける振分手段とを備えていることを特徴とする遊技機。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
細長で円筒状に形成された挿入部と、先端側に電気機器が配され、基端側が前記挿入部の先端側に装着される円筒状の撮像アダプタを備える内視鏡であって、
前記撮像アダプタに配され、前記電気機器と導通される一対のアダプタ側電極端子と、
前記挿入部に配され、前記一対のアダプタ側電極端子のそれぞれと接触して電気的に接続される一対の挿入部側電極端子とが、
前記撮像アダプタを前記挿入部に装着する際に、前記撮像アダプタと前記挿入部とを装着する方向と異なる方向の面にそれぞれ対をなして対向配置されていることを特徴とする内視鏡。
【請求項２】
前記一対のアダプタ側電極端子と前記一対の挿入部側電極端子とが、前記撮像アダプタと前記挿入部とを装着する方向に対して直交する方向に対向して配されていることを特徴とする請求項１に記載の内視鏡。
【請求項３】
前記一対のアダプタ側電極端子と前記一対の挿入部側電極端子とが、前記撮像アダプタと前記挿入部とを装着する方向から一定の角度で傾斜する方向に対向して配されていることを特徴とする請求項１に記載の内視鏡。
【請求項４】
前記撮像アダプタを前記挿入部に装着する際に、前記一対のアダプタ側電極端子及び前記一対の挿入部側電極端子を互いに対向させる方向に前記撮像アダプタの向きを調整する位置決め部を備えていることを特徴とする請求項１から３の何れか一つに記載の内視鏡。
【請求項５】
前記撮像アダプタを前記挿入部に装着する際に、前記一対のアダプタ側電極端子と前記一対の挿入部側電極端子との押圧力を調整する付勢手段を備えていることを特徴とする請求項１から４の何れか一つに記載の内視鏡。
【請求項６】
前記撮像アダプタに配される一対のアダプタ側電極端子は、
前記撮像アダプタ側から突出する支持部に設けられ、
前記挿入部に配される一対の挿入部側電極端子は、
前記支持部が係合する係合溝に設けられていることを特徴とする請求項１記載の内視鏡。
【手続補正２】
【補正対象書類名】明細書
【補正対象項目名】０００６
【補正方法】変更
【補正の内容】
【０００６】
本発明は、上記課題を解決するため、以下の手段を採用する。
本発明に係る内視鏡は、細長で円筒状に形成された挿入部と、先端側に電気機器が配され、基端側が前記挿入部の先端側に装着される円筒状の撮像アダプタを備える内視鏡であって、前記撮像アダプタに配され、前記電気機器と導通される一対のアダプタ側電極端子と、前記挿入部に配され、前記一対のアダプタ側電極端子のそれぞれと接触して電気的に接続される一対の挿入部側電極端子とが、前記撮像アダプタを前記挿入部に装着する際に、前記撮像アダプタと前記挿入部とを装着する方向と異なる方向の面にそれぞれ対をなして対向配置されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１３
【補正方法】変更
【補正の内容】
【００１３】
また、本発明に係る内視鏡は、前記撮像アダプタに配される一対のアダプタ側電極端子は、前記撮像アダプタ側から突出する支持部に設けられ、前記挿入部に配される一対の挿入部側電極端子は、前記支持部が係合する係合溝に設けられていることを特徴とする。
この内視鏡は、面接触させることができ、撮像アダプタと挿入部とを電気的に確実に接続させることができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正書】
【提出日】平成20年6月19日(2008.6.19)
【手続補正１】
【補正対象書類名】特許請求の範囲
【補正対象項目名】請求項１
【補正方法】変更
【補正の内容】
【請求項１】
血圧測定指示に応答して血圧測定を行う血圧測定部と、
生体の所定部位における脈波を取得する脈波取得手段と、
前記脈波と、心電図又は前記所定部位とは異なる部位で取得した脈波とから、脈波伝播時間を算出する脈波伝播時間算出手段と、
前記脈波伝播時間に基づいて推定血圧値を算出する推定血圧値算出手段と、
前記脈波から加速度脈波を算出する加速度脈波算出手段と、
前記加速度脈波に含まれる波形から所定の波形パラメータを算出する波形パラメータ算出手段と、
前記推定血圧値と前記所定の波形パラメータの両方が異常である場合に、前記血圧測定指示を前記血圧測定部に与えて血圧測定を実施させる制御手段とを有することを特徴とする血圧監視装置。
【手続補正２】
【補正対象書類名】明細書
【補正対象項目名】００１０
【補正方法】変更
【補正の内容】
【００１０】
すなわち、本発明の要旨は、血圧測定指示に応答して血圧測定を行う血圧測定部と、生体の所定部位における脈波を取得する脈波取得手段と、この脈波と、心電図又は前記所定部位とは異なる部位で取得した脈波とから、脈波伝播時間を算出する脈波伝播時間算出手段と、脈波伝播時間に基づいて推定血圧値を算出する推定血圧値算出手段と、脈波から加速度脈波を算出する加速度脈波算出手段と、加速度脈波に含まれる波形から所定の波形パラメータを算出する波形パラメータ算出手段と、推定血圧値と所定の波形パラメータの両方が異常である場合に、前記血圧測定指示を前記血圧測定部に与えて血圧測定を実施させる制御手段とを有することを特徴とする血圧監視装置に存する。